(57)【要約】      （修正有）【課題】反射型液晶装置について、その製造プロセスを煩雑化させることなく、各画素開口率を高める。【解決手段】第２下地膜４４ｂをパターニングすることによって、第１穴部９２ａ、第１穴部の輪郭を規定する隔壁４６、及び凹部９３ａとを形成し、その上面にＣＶＤ法を用いて導電性及び光反射性を有するアルミニウム等の金属材料を成膜することによって、平坦化前の導電性反射材料７３ａを形成する。次に、平坦化前の導電性反射材料７３ａ上から平坦化前の導電性反射材料７３ａの表面をＣＭＰ法によって研磨することによって、第１穴部９２ａに中継層９２を形成すると共に、凹部９３ａに導電性反射膜７３を形成する。これにより、隔壁４６によって相互に隔てられた導電性反射膜７３と中継層９２との間の間隔を狭く形成すると共に、当該導電性反射膜７３と中継層９２との間の電気的な絶縁性を維持する。【選択図】図９
2010054655.tif 000002
【特許請求の範囲】
【請求項１】
第１基板と、
前記第１基板に対向するように配置された第２基板と、
複数の画素領域と、
前記第１基板上の前記画素領域に設けられた透明導電材料からなる画素電極と、
前記画素電極に対向するように、前記第２基板の前記第１基板側の面に設けられた前記透明導電材料からなる対向電極と、
前記第１基板と前記第２基板との間に挟持された電気光学層と、
前記画素領域において前記画素電極と前記第１基板との間に設けられ、且つ前記画素電極に電気的に接続された駆動素子と、
前記画素領域に設けられた保持容量と、
前記駆動素子と前記画素電極との間に設けられ、前記第２基板側から前記電気光学層に入射する光を前記第２基板側に反射し、且つ固定電位に維持された導電性反射膜と、
前記画素電極と前記導電性反射膜との間に設けられた絶縁膜と、
前記導電性反射膜と同層に設けられ、前記駆動素子及び前記画素電極を電気的に中継する中継層とを備え、
前記導電性反射膜と前記中継層とは、前記導電性反射膜と前記中継層との間に設けられた隔壁によって互いに絶縁されており、
前記画素電極と前記導電性反射膜と前記絶縁膜が平面視で互いに重なる領域は、前記保持容量を構成しており、
前記導電性反射膜と前記中継層と前記隔壁とは前記絶縁膜の下地層を構成し、該絶縁膜の下地層の表面は平坦化されていること
を特徴とする電気光学装置。
【請求項２】
前記導電性反射膜は、前記複数の画素領域に渡って設けられていること
を特徴とする請求項１に記載の電気光学装置。
【請求項３】
第１基板と、前記第１基板に対向するように配置された第２基板と、複数の画素領域と、前記画素領域に形成された透明導電材料からなる画素電極と、前記画素電極に対向するように、前記第２基板の前記第１基板側の面に形成された前記透明導電材料からなる対向電極と、前記第１基板と前記第２基板との間に挟持された電気光学層と、前記画素領域において前記画素電極の下層側に形成され、且つ前記画素電極に電気的に接続された駆動素子と、前記画素領域に設けられた保持容量と、前記第１基板上において前記駆動素子と前記画素電極との間に形成されており、前記第２基板側から前記電気光学層に入射する光を前記第２基板側に反射し、且つ固定電位に維持された導電性反射膜と、前記画素電極と前記導電性反射膜との間に形成された絶縁膜と、前記駆動素子及び前記画素電極を電気的に中継する中継層とを備え、前記導電性反射膜と前駆中継層とは、前記導電性反射膜と前駆中継層との間に設けられた隔壁によって互いに絶縁されており、前記画素電極と前記導電性反射膜と前記絶縁膜が平面視で互いに重なる領域が、前記保持容量を構成しており、前記導電性反射膜と前記中継層と前記隔壁とは前記絶縁膜の下地層を構成し、該絶縁膜の下地層の表面が平坦化されている電気光学装置を製造するための電気光学装置の製造方法であって、
前記駆動素子の上層に絶縁性を有する下地膜を形成する第１工程と、
前記下地膜をパターニングすることによって、（ｉ）平面視で前記駆動素子の出力端子部に重なる第１穴部と、（ｉｉ）前記隔壁によって前記第１穴部と隔てられた凹部とを形成する第２工程と、
前記第１穴部及び前記凹部の夫々に、前記隔壁の高さよりも厚い導電性反射材料を充填する第３工程と、
前記導電性反射材料の表面を研磨することによって、前記第１穴部に充填された前記導電性反射材料を前記中継層とすると共に、前記凹部に充填された前記導電性反射材料を前記導電性反射膜とする第４工程と
を備えたことを特徴とする電気光学装置の製造方法。
【請求項４】
前記下地膜は、前記駆動素子の上層に形成された第１下地膜と、該第１下地膜上に形成された第２下地膜とから構成されており、
前記第１工程において、前記駆動素子の出力端子部に重なるように前記第１下地膜に形成された第２穴部に導電材料を充填することによって、前記出力端子部に電気的に接続された接続部を形成し、
前記第２工程において、前記第２下地膜に前記第１穴部を形成し、
前記第３工程において、前記接続部のうち前記第１穴部に臨む部分に前記導電性反射材料が電気的に接続されるように、前記第１穴部に前記導電性反射材料を充填すること
を特徴とする請求項３に記載の電気光学装置の製造方法。
【請求項５】
請求項１又は２に記載の電気光学装置を具備してなること
を特徴とする電子機器。
【発明の詳細な説明】
【技術分野】
【０００１】
本発明は、例えば、反射型液晶装置等の電気光学装置、及び、そのような電気光学装置を製造するための電気光学装置の製造方法、並びに、当該電気光学装置をライトバルブとして備えたプロジェクタ等の電子機器の技術分野に関する。
【背景技術】
【０００２】
液晶装置の一例である透過型液晶装置では、光源から出射された光源光を液晶で変調することによって画像表示領域に所望の画像が表示される。より具体的には、各々透明な画素電極と対向電極との間に挟持された液晶をこれら電極間に加わる電圧に応じて駆動することによって、光を変調し、光透過率の変化に応じて画像の輝度が調整される。このような液晶装置では、画素電極の電位を保持するための保持容量が、画素領域の開口領域、即ち、不透明な配線或いは遮光膜によって囲まれ、且つ実質的に画像表示に寄与する領域を避けるように設けられている。このため、透過型液晶装置では、保持容量の容量値を高めることを目的として保持容量のサイズを大きくしようとしても開口領域が狭められてしまい、画像表示領域の輝度を低下させてしまう。したがって、透過型液晶装置では、画像表示領域の輝度を保つために、保持容量の容量値が制限されてしまう。
【０００３】
一方、画素領域に入射した光を画素電極で反射することによって画像表示領域に画像を表示する反射型液晶装置では、アルミニウム等の金属膜で構成された画素電極が光を反射する反射膜として機能し（例えば、特許文献１参照。）、画素電極の下層側において画素電極に重なるように保持容量を設けることが可能である。したがって、反射型液晶装置では、平面的に見て、画素電極と略同一面積の保持容量を設けることが可能であり、透過型液晶装置より保持容量の容量値を大きく設定することが可能である。
【０００４】
また、画素領域の非開口領域を狭めることによって、画像表示領域のうち実質的に画像の表示に寄与する領域の面積を増大させる技術も提案されている（例えば、特許文献２乃至３参照。）。
【０００５】
【特許文献１】特開２００８−６４８５７号公報
【特許文献２】特開２０００−１２４３１３号公報
【特許文献３】特開２００１−１７４８５０号公報
【特許文献４】特開２００８−１５０１３号公報
【発明の開示】
【発明が解決しようとする課題】
【０００６】
しかしながら、反射型液晶装置等の電気光学装置では、ＴＦＴアレイ基板等の基板上において、画素電極と、当該画素電極の下層側に形成された画素スイッチング用ＴＦＴとを電気的に接続する接続部が、画素領域における開口領域を狭めてしまい、当該電気光学装置の表示性能を高めることが困難になる問題点がある。特に、ＴＦＴアレイ基板等の基板上に画素スイッチング用ＴＦＴ及び画素電極等を含む多層構造を作り込む場合、画素スイッチング用ＴＦＴ及び画素電極を相互に電気的に接続する接続部を形成し、且つ当該接続部によって狭められる開口領域をできるだけ広くとろうとすると、当該多層構造を形成する製造プロセスがより一層複雑化し、電気光学装置の製造コストの増大及び歩留まりの低下を招く。
【０００７】
また、複数の画素電極の夫々が形成された複数の画素領域の夫々における開口領域の割合、即ち開口率を高めることを目的として、相互に隣り合う画素電極の間隔を狭めた場合、これら画素電極間に発生する横電界の電界強度が相対的に増大する。したがって、相互に隣り合う画素電極の間隔を狭めたことが液晶装置におけるディスクリネーション及びドメイン等の表示不良を発生させる一因となり、液晶装置等の電気光学装置が画像を表示する際の表示性能を低下させてしまう問題も生じる。
【０００８】
よって、本発明は上記問題点等に鑑みてなされたものであり、例えば、その製造プロセスを煩雑化させることなく、各画素領域における開口率を高められた反射型液晶装置等の電気光学装置、及びそのような電気光学装置をその製造プロセスを煩雑化させることなく製造可能な電気光学装置の製造方法、並びに、反射型液晶装置等の電気光学装置をライトバルブとして備えたプロジェクタ、或いはヘッドマウントディスプレイ（ＨＭＤ）等の電子機器を提供することを課題とする。
【課題を解決するための手段】
【０００９】
本発明に係る電気光学装置は上記課題を解決するために、第１基板と、前記第１基板に対向するように配置された第２基板と、複数の画素領域と、前記第１基板上の前記画素領域に設けられた透明導電材料からなる画素電極と、前記画素電極に対向するように、前記第２基板の前記第１基板側の面に設けられた前記透明導電材料からなる対向電極と、前記第１基板と前記第２基板との間に挟持された電気光学層と、前記画素領域において前記画素電極と前記第１基板との間に設けられ、且つ前記画素電極に電気的に接続された駆動素子と、前記画素領域に設けられた保持容量と、前記駆動素子と前記画素電極との間に設けられ、前記第２基板側から前記電気光学層に入射する光を前記第２基板側に反射し、且つ固定電位に維持された導電性反射膜と、前記画素電極と前記導電性反射膜との間に設けられた絶縁膜と、前記導電性反射膜と同層に設けられ、前記駆動素子及び前記画素電極を電気的に中継する中継層とを備え、前記導電性反射膜と前記中継層とは、前記導電性反射膜と前記中継層との間に設けられた隔壁によって互いに絶縁されており、前記画素電極と前記導電性反射膜と前記絶縁膜が平面視で互いに重なる領域は、前記保持容量を構成しており、前記導電性反射膜と前記中継層と前記隔壁とは前記絶縁膜の下地層を構成し、該絶縁膜の下地層の表面は平坦化されている。
【００１０】
本発明に係る電気光学装置によれば、ＩＴＯ（Indium tin Oxide）等の透明導電材料で各々構成された複数の画素電極は、前記第１基板上の表示領域を構成する複数の画素領域に各々形成されており、第２基板側から入射する光を透過可能に構成されている。
【００１１】
対向電極は、画素電極と同様に、ＩＴＯ等の透明導電材料で構成されており、前記複数の画素電極に対向するように、前記第２基板の両面のうち前記第１基板に臨む一方の面に形成されている、したがって、第２基板の両面のうち前記一方の面の反対側の面から入射した光は、対向電極及び画素電極を透過可能である。
【００１２】
電気光学層は、例えば、光を変調可能な液晶層であり、前記第１基板と前記第２基板との間に挟持されている。駆動素子は、例えば、ＴＦＴ（Thin Film Transistor）等の半導体素子であり、前記画素領域において前記画素電極と前記第１基板との間に設けられ、且つ前記画素電極に電気的に接続されている。したがって、駆動素子は、例えば、走査線を介して各画素領域の回路部に供給される走査信号に応じて、画素電極に対する画像信号の供給をスイッチング制御可能である。
【００１３】
保持容量は、前記画素領域に設けられており、例えば、電気光学装置の動作時に、画像信号に応じた電位に画素電極の電位を維持する。
【００１４】
導電性反射膜は、例えば、アルミニウム（Ａｌ）等の金属膜であり、前記第１基板上において前記駆動素子と前記画素電極との間に形成されており、前記第２基板の側から前記電気光学層に入射する光を前記第２基板の側に反射する。したがって、導電性反射膜によれば、画像信号に画素領域毎に駆動される電気光学層によって変調された光を第２基板側に反射できる。加えて、導電性反射膜は、固定電位に維持されているため、画像信号に応じた画像を表示できる。このような導電性反射膜は、例えば、画素電極及び対向電極を構成する透明導電材料と相互に異なる材料で構成されているため、導電性反射膜における固定電位の変動を低減することも可能である。
【００１５】
絶縁膜は、前記画素電極と前記導電性反射膜との間に設けられており、例えば、前記画素電極と前記導電性反射膜との間の夫々を相互に電気的に絶縁する層間絶縁膜として機能する。中継層は、前記導電性反射膜と同層に設けられ、前記駆動素子及び前記画素電極を電気的に中継しており、例えば、駆動素子及び画素電極の夫々に直接、或いは間接的に電気的に接続されている。
【００１６】
前記導電性反射膜と前記中継層とは、前記導電性反射膜と前記中継層との間に設けられた隔壁によって互いに絶縁されている。加えて、前記画素電極と前記導電性反射膜と前記絶縁膜が平面視で互いに重なる領域は、前記保持容量を構成しており、前記導電性反射膜と前記中継層と前記隔壁とは前記絶縁膜の下地層を構成し、該絶縁膜の下地層の表面は平坦化されている。
【００１７】
前記導電性反射膜及び前記中継層の夫々の表面は、例えば、ＣＭＰ（Chemical Mechanical Polish）法等の研磨法によって平坦化されている。したがって、導電性反射膜と中継層との間を電気的に絶縁する隔壁の幅を狭めることができる。よって、画素領域のうち導電性反射膜に重なる領域の面積を増大させることができ、画素領域における開口率を増大させることが可能である。したがって、隣り合う画素相互の間隔を近づけることによって発生し、且つ、ディスクリネーション等の表示不良の一因となる横電界を抑制しつつ、各画素領域における開口率を高めることが可能である。
【００１８】
加えて、本発明に係る電気光学装置によれば、上述のＣＭＰ法等の研磨法を用いたダマシン、或いはデュアルダマシン技術によって、導電性反射膜及び中継層の夫々の表面を平坦化することで隔壁の幅を高い精度で容易に狭く形成できる。よって、本発明に係る電気光学装置によれば、電気光学装置の製造プロセスが煩雑化することを極力抑えながら、高品位の画像表示が可能になる。
【００１９】
本発明に係る電気光学装置の一の態様では、前記導電性反射膜は、前記複数の画素領域に渡って設けられていてもよい。
【００２０】
この態様によれば、例えば、対向電極は、表示領域全体に重なるように形成されるため、導電性反射膜を表示領域全体に重なるように形成することによって、対向電極及び導電性反射膜の夫々のサイズの相違に起因して対向電極及び導電性反射膜の夫々の電位に差が生じることをより一層低減できる。したがって、画素電極及び導電性反射膜を一対の容量電極とする保持容量によって画素電極の電位が確実に保持可能になり、電気光学装置の表示性能を高められる。また、保持容量を構成する一対の容量電極の一方は、例えば、入射光を反射する導電性反射膜７３を兼ねていてもよい。したがって、平面的に見て当該一方の容量電極を大きく形成しても、画素領域において実質的に画像を表示できる領域を狭めることがない。したがって、この態様によれば、透過型液晶装置に設けられる保持容量に比べて相対的に保持容量の容量値を大きく設定することが可能である。
【００２１】
本発明に係る電気光学装置の製造方法は上記課題を解決するために、第１基板と、前記第１基板に対向するように配置された第２基板と、複数の画素領域と、前記画素領域に形成された透明導電材料からなる画素電極と、前記画素電極に対向するように、前記第２基板の前記第１基板側の面に形成された前記透明導電材料からなる対向電極と、前記第１基板と前記第２基板との間に挟持された電気光学層と、前記画素領域において前記画素電極の下層側に形成され、且つ前記画素電極に電気的に接続された駆動素子と、前記画素領域に設けられた保持容量と、前記第１基板上において前記駆動素子と前記画素電極との間に形成されており、前記第２基板側から前記電気光学層に入射する光を前記第２基板側に反射し、且つ固定電位に維持された導電性反射膜と、前記画素電極と前記導電性反射膜との間に形成された絶縁膜と、前記駆動素子及び前記画素電極を電気的に中継する中継層とを備え、前記導電性反射膜と前駆中継層とは、前記導電性反射膜と前駆中継層との間に設けられた隔壁によって互いに絶縁されており、前記画素電極と前記導電性反射膜と前記絶縁膜が平面視で互いに重なる領域が、前記保持容量を構成しており、前記導電性反射膜と前記中継層と前記隔壁とは前記絶縁膜の下地層を構成し、該絶縁膜の下地層の表面が平坦化されている電気光学装置を製造するための電気光学装置の製造方法であって、前記駆動素子の上層に絶縁性を有する下地膜を形成する第１工程と、前記下地膜をパターニングすることによって、（ｉ）平面視で前記駆動素子の出力端子部に重なる第１穴部と、（ｉｉ）前記隔壁によって前記第１穴部と隔てられた凹部とを形成する第２工程と、前記第１穴部及び前記凹部の夫々に、前記隔壁の高さよりも厚い導電性反射材料を充填する第３工程と、前記導電性反射材料の表面を研磨することによって、前記第１穴部に充填された前記導電性反射材料を前記中継層とすると共に、前記凹部に充填された前記導電性反射材料を前記導電性反射膜とする第４工程とを備える。
【００２２】
本発明に係る電気光学装置の製造方法によれば、第１工程で下地膜を形成し、第２工程で第１穴部及び凹部を形成する。第２工程によれば、例えば、第１穴部及び凹部を相互に隔てている部分、即ち隔壁の幅を０．２５μｍ程度まで狭めることが可能である。
【００２３】
第３工程において、ＣＶＤ（Chemical Vapor Deposition）等の蒸着法を用いてアルミニウム（Ａｌ）等の金属材料からなる薄膜を成膜することによって、前記第１穴部及び前記凹部の夫々に、前記隔壁の高さよりも厚い導電性反射材料を充填する。
【００２４】
第４工程において、前記導電性反射材料の表面を、例えば、ＣＭＰ法等の研磨法を用いたダマシン、或いはデュアルダマシン技術を用いて研磨することによって、前記第１穴部に充填された前記導電性反射材料を前記中継層とすると共に、前記凹部に充填された前記導電性反射材料を前記導電性反射膜とする。第４工程によれば、導電性反射膜及び中継層の夫々の表面を面一にすることができ、隔壁によって相互に隔てられた導電性反射膜と中継層との間の間隔を狭めることが可能になると共に、当該導電性反射膜と中継層との間の電気的な絶縁性を維持することができる。
【００２５】
したがって、本発明に係る電気光学装置の製造方法によれば、導電性反射膜と中継層との間を電気的に絶縁する隔壁の幅を狭めることによって、画素領域のうち導電性反射膜に重なる領域の面積を増大させることができ、画素領域における開口率を増大させることが可能である。したがって、本発明に係る電気光学装置の製造方法によれば、画素領域における開口率が高められた電気光学装置を、電気光学装置の製造プロセスが煩雑化することを極力抑えながら容易に製造できる。加えて、本発明に係る電気光学装置の製造方法によれば、隣り合う画素相互の間隔を近づけることによって発生し、且つ、ディスクリネーション等の表示不良の一因となる横電界を抑制しつつ、各画素領域における開口率を高められ、高品位の画像表示が可能な電気光学装置を製造できる。
【００２６】
本発明に係る電気光学装置の製造方法の一の態様では、前記下地膜は、前記駆動素子の上層に形成された第１下地膜と、該第１下地膜上に形成された第２下地膜とから構成されており、前記第１工程において、前記駆動素子の出力端子部に重なるように前記第１下地膜に形成された第２穴部に導電材料を充填することによって、前記出力端子部に電気的に接続された接続部を形成し、前記第２工程において、前記第２下地膜に前記第１穴部を形成し、前記第３工程において、前記接続部のうち前記第１穴部に臨む部分に前記導電性反射材料が電気的に接続されるように、前記第１穴部に前記導電性反射材料を充填する。
【００２７】
この態様によれば、例えば、ダマシン技術を用いて順次形成された接続部及び中継層を介して駆動素子及び画素電極を相互に電気的に接続することが可能なる。
【００２８】
本発明に係る電子機器は上記課題を解決するために、上述した本発明の電気光学装置を備えている。
【００２９】
本発明に係る電子機器によれば、上述した本発明に係る液晶装置を具備してなるので、高品位の表示が可能な、フロントプロジェクタ或いはリアプロジェクタ等の投射型表示装置、携帯電話、電子手帳、ワードプロセッサ、ビューファインダ型又はモニタ直視型の表示装置、或いはビデオテープレコーダ、ワークステーション、テレビ電話、ＰＯＳ端末、タッチパネル、ヘッドマウントディスプレイ（ＨＭＤ）等の各種電子機器を実現できる。
【００３０】
本発明のこのような作用及び他の利得は次に説明する実施形態から明らかにされる。
【発明を実施するための最良の形態】
【００３１】
以下、図面を参照しながら、本発明に係る電気光学装置及びその製造方法、並びに、電子機器の各実施形態を説明する。
【００３２】
＜１：電気光学装置＞
先ず、図１乃至図７を参照しながら、本発明に係る電気光学装置の一実施形態である液晶装置１の全体構成を説明する。図１は、本発明の「第１基板」の一例であるＴＦＴアレイ基板１０をその上に形成された各構成要素と共に、本発明の「第２基板」の一例である対向基板の側から見た液晶装置１の平面図であり、図２は、図１のＩＩ−ＩＩ´断面図である。本実施形態に係る液晶装置１は、駆動回路内蔵型のＴＦＴアクティブマトリクス駆動方式で駆動され、且つ対向基板２０側から入射した光が反射されることによって画像を表示可能な反射型液晶装置である。
【００３３】
図１及び図２において、液晶装置１では、ＴＦＴアレイ基板１０及び対向基板２０が相互に対向配置されている。ＴＦＴアレイ基板１０と対向基板２０との間に、本発明の「電気光学層」の一例である液晶層５０が封入されている。ＴＦＴアレイ基板１０及び対向基板２０は、複数の画素領域で構成された、本発明の「表示領域」の典型例である画像表示領域１０ａの周囲に位置するシール領域に設けられたシール材５２により相互に接着されている。
【００３４】
シール材５２は、両基板を貼り合わせるための、例えば、紫外線硬化樹脂、或いは熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間の間隔（基板間ギャップ）を所定値とするためのグラスファイバ或いはガラスビーズ等のギャップ材が散布されていてもよい。
【００３５】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。尚、画像表示領域１０ａの周辺に位置する周辺領域が存在する。言い換えれば、本実施形態においては特に、ＴＦＴアレイ基板１０の中心から見て、この額縁遮光膜５３より以遠が周辺領域として規定されている。
【００３６】
液晶装置１は、データ線駆動回路１０１、及び走査線駆動回路１０４を備えている。周辺領域のうち、シール材５２が配置されたシール領域の外側に位置する領域において、データ線駆動回路１０１及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。走査線駆動回路１０４は、額縁遮光膜５３に覆われるように形成された複数の配線１０５によって相互に電気的に接続されている。
【００３７】
対向基板２０の４つのコーナー部には、ＴＦＴアレイ基板１０と対向基板２０との間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００３８】
図２において、ＴＦＴアレイ基板１０上には、画素スイッチング用のＴＦＴや走査線、データ線等の配線の上層に形成された画素電極９ａ上に、配向膜が形成されている。他方、対向基板２０上には、画素電極９ａに対向するように形成された対向電極２１の他、格子状又はストライプ状の遮光膜２３、更には最上層部分に配向膜が形成されている。液晶層５０は、例えば一種又は数種類のネマティック液晶を混合した液晶からなり、これら一対の配向膜間で、所定の配向状態をとる。液晶装置１は、その動作時に、図中上側である対向基板２０側から液晶装置１に入射した入射光を画素電極９ａによって対向基板２０側に向かって反射し、画像を表示する。
【００３９】
尚、図１及び図２に示したＴＦＴアレイ基板１０上には、データ線駆動回路１０１、走査線駆動回路１０４等の回路部に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等が形成されていてもよい。
【００４０】
次に、図３を参照しながら、画像表示領域１０ａにおける回路構成を説明する。図３は、本実施形態に係る液晶装置の画像表示領域における回路構成を示した回路図である。
【００４１】
図３において、液晶装置１の画像表示領域１０ａを構成するマトリクス状に形成された複数の画素領域７２の夫々は、画素電極９ａ、本発明の「駆動素子」の一例であるＴＦＴ３０、及び液晶素子５０ａを備えている。ＴＦＴ３０は、画素電極９ａに電気的に接続されており、液晶装置１の動作時に画素電極９ａをスイッチング制御し、当該制御に応じて液晶素子５０ａを駆動する。画像信号が供給されるデータ線６ａは、ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００４２】
ＴＦＴ３０のゲートに走査線３ａが電気的に接続されており、液晶装置１は、所定のタイミングで、走査線３ａにパルス的に走査信号Ｇ１、Ｇ２、・・・、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、・・・、Ｓｎが所定のタイミングで書き込まれる。画素電極９ａを介して液晶に書き込まれた所定レベルの画像信号Ｓ１、Ｓ２、・・・、Ｓｎは、対向基板２０に形成された対向電極２１との間で一定期間保持される。ここで、便宜上、走査線３ａが延在する方向をＸ方向とし、データ線６ａが延在する方向をＹ方向とする。
【００４３】
液晶層５０に含まれる液晶は、印加される電圧レベルにより分子集合の配向や秩序が変化することにより、光を変調し、液晶装置１による階調表示を可能とする。ノーマリーホワイトモードであれば、各画素領域単位で印加された電圧に応じて入射光及び反射光に対する透過率が減少し、ノーマリーブラックモードであれば、各画素領域単位で印加された電圧に応じて入射光及び反射光に対する透過率が増加され、全体として液晶装置１からは画像信号に応じたコントラストをもつ光が出射される。保持容量７０は、画像信号がリークすることを防ぐために、画素電極９ａと対向電極２１との間に形成される液晶素子５０ａと電気的に並列に付加されている。尚、保持容量７０が有する一対の容量電極の一方は、画素電極９ａであり、他方は、後述する導電性反射膜７３である。
【００４４】
次に、図４乃至図７を参照しながら、本実施形態に係る液晶装置１の画素領域の具体的な構成を説明する。図４は、液晶装置１の画素領域を拡大して示した平面図であり、図５は図４のＶ−Ｖ´断面図である。尚、図４では、画像表示領域１０ａを構成するようにマトリクス状に配列された複数の画素領域のうち互いに隣接する４つの画素領域を示している。図６は、本実施形態に係る液晶装置１の比較例である液晶装置の画素領域における構造の具体的な構成を示した部分断面図である。図７は、本実施形態に係る液晶装置１及び比較例に係る液晶装置の夫々における開口率を具体的に比較したグラフである。
【００４５】
図４に示すように、複数の画素電極９ａは、図中Ｘ方向及びＹ方向の夫々に沿ってマトリクス状に設けられ、且つ画像表示領域１０ａを構成する複数の画素領域に各々設けられており、Ｘ方向及びＹ方向の夫々に沿って互いに間隔を隔てて配列されている。アルミニウム等の金属膜で構成された導電性反射膜７３は、ＴＦＴアレイ基板１０上において、複数の画素領域に渡って延びている。より具体的には、導電性反射膜７３は、対向電極２１と同様に画像表示領域１０ａ全体に重なるように形成されるため、対向電極２１及び導電性反射膜７３の夫々の面積の相違に起因して対向電極２１及び導電性反射膜７３の夫々の電位に差が生じることを低減できる。言い換えれば、画素電極９ａ及び導電性反射膜７３は保持容量７０を構成する一対の容量電極であり、一対の容量電極のうちの一方である導電性反射膜７３が総ての保持容量７０に対して共通であるため、保持容量７０によって画素電極９ａの電位が確実に保持可能になり、液晶装置１の表示性能を高めることが可能である。
【００４６】
各画素領域には、ＩＴＯ等の透明導電材料で構成された画素電極９ａとＴＦＴ３０との間に中継層９２が形成されている。中継層９２は、隔壁４６を介して導電性反射膜７３と電気的に絶縁されている。中継層９２は、コンタクト部９３及び９１の夫々によって、画素電極９ａ及びＴＦＴ３０の夫々に電気的に接続されている。
【００４７】
図４及び図５において、画素領域７２は、ＴＦＴアレイ基板１０上に形成されたＴＦＴ３０、保持容量７０、データ線６、走査線３ａ、画素電極９ａ、導電性反射膜７３、並びに、画素電極９ａ、及び、導電性反射膜７３と画素電極９ａとの間に設けられた絶縁膜４５を有している。絶縁膜４５が、本発明の「絶縁膜」の一例である。
【００４８】
ＴＦＴ３０は、画素領域において画素電極９ａの下層側に形成され、且つ前記画素電極に電気的に接続されている。したがって、ＴＦＴ３０は、例えば、走査線３ａを介して供給される走査信号に応じて、画素電極９ａに対する画像信号の供給をスイッチング制御可能である。ＴＦＴ３０は、下地膜４１上に形成された、例えば低温ポリシリコン層である半導体層１ａを有しており、当該半導体層１ａのうちゲート電極３ａ１に重なる部分がチャネル領域１ｃとなり、その両側の部分の夫々がソース領域１ｓ、及びドレイン領域１ｄである。チャネル領域１ｃには、走査線３ａに電気的に接続されたゲート電極３ａ１からの電界によりチャネルが形成される。ソース領域１ｓは、不図示のデータ線６ａに電気的に接続されている。尚、ＴＦＴ３０は、ＬＤＤ（Lightly Doped Drain）構造を有していてもよい。
【００４９】
ゲート電極３ａ１は、ポリシリコン膜等の導電膜や、例えば、Ｔｉ、Ｃｒ、Ｗ、Ｔａ、Ｍｏ、Ｐｄ、Ａｌ等の金属のうちの少なくとも一つを含む、金属単体、合金、金属シリサイド、ポリシリサイド、これらを積層したもの等によって形成されており、ソース領域１ｓ及びドレイン領域１ｄに重ならないようにゲート絶縁膜４２を介してチャネル領域１ｃ上に設けられている。出力端子部８１は、絶縁膜４３を貫通するコンタクト部を介してドレイン領域１ｄに電気的に接続されている。
【００５０】
コンタクト部９１は、絶縁膜４４を貫通するように形成されており、中継層９２及び出力端子部８１を相互に電気的に接続している。コンタクト部９３は、絶縁膜４５を貫通するように形成されており、中継層９２及び画素電極９ａを相互に電気的に接続している。
【００５１】
したがって、液晶装置１の動作時には、ゲート電極３ａ１に供給される走査信号Ｇｉに応じて、ＴＦＴ３０が非導通状態から導通状態に切り換えられ、ＴＦＴ３０及びコンタクト部９１を介して画像信号に応じた電位が画素電極９ａに供給される。
【００５２】
画素電極９ａ及び対向電極２１の夫々は、ＩＴＯ等の透明導電材料で構成されており、その表面の夫々には、配向膜１６及び２４の夫々が形成されている。液晶層５０は、配向膜１６と配向膜２４との間に挟持されており、液晶層５０のうち各画素電極９ａに重なる部分が液晶素子５０ａの液晶部分を構成する。液晶層５０は、液晶装置１の動作時に、画素電極９ａと対向電極２１との間に加わる電圧によって駆動される。対向基板２０側から各画素領域に入射した入射光は、アルミニウム等の金属膜で構成された導電性反射膜７３によって反射され、当該反射光は液晶層５０によって変調された後、対向基板２０側に出射される。このような出射光により画像表示領域１０ａに所望の画像が表示される。
【００５３】
保持容量７０は、導電性反射膜７３及び画素電極９ａ、並びに、導電性反射膜７３と画素電極９ａとの間に設けられた絶縁膜４５から構成されている。
【００５４】
導電性反射膜７３は、不図示の配線を介して対向電極２１と共通の固定電位線３００に電気的に接続されている。液晶装置１の動作時には、対向電極２１に供給される固定電位と同電位の電位が導電性反射膜７３に供給される。絶縁膜４５のうち画素電極９ａ及び導電性反射膜７３に重なる部分は、誘電体膜として機能し、画素電極９ａ及び導電性反射膜７３と共に保持容量７０を構成する。したがって、保持容量７０は、固定電位に電位が維持された導電性反射膜７３と、液晶装置１の動作時において画像信号に応じた電位に維持される画素電極９ａとの電位差に応じて電荷を保持し、画素電極９ａに対する画像信号の供給期間、即ちＴＦＴ３０がオン状態に維持された期間を超えても、当該保持された電荷によって画素電極９ａの電位を維持することが可能である。
【００５５】
中継層９２は、ＴＦＴアレイ基板１０上において導電性反射膜７３と同層に形成されており、且つ当該中継層９２を囲む絶縁材料で構成された隔壁４６によって導電性反射膜７３と電気的に絶縁されている。
【００５６】
加えて、液晶装置１では、導電性反射膜７３と中継層９２と隔壁４６は保持容量７０を構成する絶縁膜４５の下地層となっているが、当該下地層の表面は、例えば、ＣＭＰ（Chemical Mechanical Polish）法等の研磨法を用いたダマシン、或いはデュアルダマシン技術によって平坦化されている。また、ＣＭＰ法を使わない場合と比較して、導電性反射膜７３と中継層９２との間を電気的に絶縁する隔壁４６の幅Ｄ（図４参照。）をさらに狭めることができるため、導電性反射膜７３の面積を増大させることができ、画素領域における開口率を増大させることが可能である。即ち、隣り合う画素電極９ａ相互の間隔を極めて小さくしなくても画素領域における開口率を高めることが可能であるので、隣り合う画素相互の間隔を近づけた場合に問題となっていた、横電界に起因するディスクリネーション等の表示不良を回避することができる。
【００５７】
また、液晶装置１によれば、前述したようにＣＭＰ法等の研磨法を用いたダマシン、或いはデュアルダマシン技術によって、絶縁膜４５の下地層となっている導電性反射膜７３と中継層９２と隔壁４６夫々の表面を平坦化することができ、さらに導電性反射膜７３と中継層９２との間の絶縁性を維持する隔壁４６の幅Ｄを狭めることが容易となる。よって、液晶装置１によれば、液晶装置１の製造プロセスが煩雑化することを極力抑えながら、高品位の画像表示が可能である。
【００５８】
また、液晶装置１によれば、この液晶装置１は反射型であり、保持容量を構成する一対の容量電極の一方は入射光を反射する導電性反射膜７３を兼ねている。そのため、平面的に見て当該一方の容量電極を大きく形成しても、画素領域において実質的に画像を表示できる領域を狭めることがない。したがって、液晶装置１によれば、透過型液晶装置に設けられる保持容量に比べて相対的に保持容量の容量値を大きく設定することが可能であり、保持容量７０の容量値を大きくすることによって画素電極９ａの電位を保持する保持性能が高められている。よって、液晶装置１によれば、透過型液晶装置に比べて、その表示性能を高めることが可能である。
【００５９】
次に、比較例に係る液晶装置３００の構成を説明する。尚、以下では、液晶装置１と共通する部分に共通の参照符号を付し、詳細な説明を省略する。
【００６０】
図６において、液晶装置３００は、ＴＦＴ３０、画素電極３０９ａ、及び導電層３８３、並びに、保持容量３７０を備えている。画素電極３０９ａは、アルミニウム等の金属膜から構成されており、対向基板２０側から入射した入射光を対向基板２０側に向かって反射する。したがって、ＴＦＴアレイ基板１０の画像表示領域１０ａのうち実質的に画像表示に寄与する開口領域は、画素電極３０９ａが設けられている領域であり、その他の領域が画像の表示に寄与しない非開口領域になる。ＴＦＴ３０は、ゲート絶縁膜３０２によって絶縁されたゲート電極３ａ１を有しており、そのソース領域１ｓは、コンタクト部３８１及び３８２を介して導電層３８３に電気的に接続されている。導電層３８３は、ソース線６ａに電気的に接続されている。ＴＦＴ３０のドレイン領域１ｄは、コンタクト部３９１及び３９２、並びに、導電層３９３、コンタクト部３９４、導電層３９５、及びコンタクト部３９６を介して画素電極３０９ａに電気的に接続されている。コンタクト部３９１及び３９２、並びに、導電層３９３、コンタクト部３９４、導電層３９５、及びコンタクト部３９６は、ＴＦＴアレイ基板１０上に積層された絶縁膜３４１、３４２、及び３４３を含む多層構造の所定の層、或いは所定の絶縁膜を貫通するように形成されている。
【００６１】
保持容量３７０は、その一部がコンタクト部３９１の一部となる導電膜３７０ａと、導電膜３７０ｃと、これら導電膜間に設けられ、且つ誘電体として機能する絶縁膜３７０ｂとから構成されている。
【００６２】
本比較例に係る液晶装置３００によれば、画素領域のうち実質的に画像表示に寄与する開口領域の割合、即ち開口率を増大させるためには、各画素領域に形成された画素電極３０９ａ相互の間隔を狭める必要が生じる。したがって、隣り合う画素領域の夫々に形成された画素電極３０９ａを相互に隔てている間隔が狭くなり、これら画素電極３０９ａ間に生じる横電界、即ち、ＴＦＴアレイ基板１０の基板面に沿った電界の強度が強くなり、ディスクリネーション等の表示不良を生じさせてしまう。
【００６３】
しかしながら、上述した本実施形態に係る液晶装置１によれば、画素電極９ａと平面的に重なる領域だけでなく隣接する画素電極９ａ間の領域にも導電性反射材料７３ａが設けられている。そして、隣接する画素電極９ａ間の領域も、画素電極９ａからの電界の影響を受けて液晶の配向が変化するため、隣接する画素電極９ａ間の領域も開口領域となる。ただし、隣接する画素電極９ａ間の間隔が小さすぎるとディスクリネーションやドメイン等の表示不良が発生する可能性があるため、その間隔は表示不良が発生しない程度の大きさが好ましい。ＣＭＰ法等の研磨法を用いたダマシン或いはデュアルダマシン技術によって中継層９２及び導電性反射膜７３を相互に隔てる隔壁４６の幅Ｄを小さくすることが可能であるため、隣り合う画素領域の夫々に形成された画素電極９ａの間隔を狭めることなく、各画素領域における開口率を高めることが可能である。
【００６４】
次に、図７を参照しながら、本実施形態に係る液晶装置１と、比較例に係る液晶装置３００との夫々について、画素領域の開口率を比較する。
【００６５】
図７に示すように、本実施形態に係る液晶装置１によれば、上述したように画素電極９ａ間の領域にも導電性反射材料７３ａを設け、さらに隔壁４６の幅Ｄを狭めることによって、開口率を１．００（１００％）に近づけることが可能である。特に、液晶装置１によれば、隔壁４６の幅Ｄは、半導体製造プロセスで設定可能なパターン精度で設定可能であるため、画素ピッチを小さくしても、開口率を略１．００に近づけることができる。
【００６６】
一方、比較例に係る液晶装置３００によれば、隣接する画素電極３０９ａ間の領域には反射層が設けられていないため、その領域は表示に利用できない非開口領域である。そこで、非開口領域の面積を小さくするためには隣接する画素電極３０９ａ間の間隔を狭くしなければならないが、画素電極３０９ａを形成する際のパターンニング精度、及び横電界の抑制の夫々の観点を考慮すれば、画素ピッチが小さくなるほど開口率を高めることが困難になる。
【００６７】
したがって、本実施形態に係る液晶装置１によれば、上述のＣＭＰ法等の研磨法を用いたダマシン、或いはデュアルダマシン技術によって、導電性反射膜７３と中継層９２と隔壁４６夫々の表面を平坦に形成し、絶縁膜４５の下地層を平坦にすることができるだけでなく、導電性反射膜７３と中継層９２との間の電気的な絶縁性を維持する隔壁４６の幅Ｄを狭めることができ、その結果、高い開口率を維持することが容易に可能となる。さらに、画素電極９ａと平面的に重なる領域だけでなく隣接する画素電極９ａ間の領域にも導電性反射材料７３ａを設けることによって、隣接する画素電極９ａ間の領域も表示に利用することができる。よって、本実施形態に係る液晶装置１によれば、液晶装置１の製造プロセスが煩雑化することを極力抑えながら、高品位の画像表示が可能になる。
【００６８】
＜２：電気光学装置の製造方法＞
次に、図８乃至１０を参照しながら、本実施形態に係る液晶装置の製造方法を説明する。図８乃至１０は、上述の液晶装置１を製造する製造方法の主要な製造工程を順に示した工程断面図である。
【００６９】
図８（ａ）に示すように、ＴＦＴ３０上に第１下地膜４４ａを形成した後、第１下地膜４４ａをパターニングすることによって、ＴＦＴ３０の出力端子部８１に重なる第２穴部９０を形成する。
【００７０】
次に、図８（ｂ）に示すように、出力端子部８１に重なるように第１下地膜４４ａに形成された第２穴部９０に導電材料を充填することによって、出力端子部８１に電気的に接続された、本発明の「接続部」の一例であるコンタクト部９１を形成する。
【００７１】
次に、図８（ｃ）に示すように、第１下地膜４４ａ上に第２下地膜４４ｂを形成する。尚、本実施形態では、第１下地膜４４ａ及び第２下地膜４４ｂを順次形成すると共に、コンタクト部９１及び中継層９２を順次形成する例を挙げているが、第１下地膜４４ａ及び第２下地膜４４ｂからなる、本発明の「下地膜」の一例である絶縁膜４４を形成すると共に、当該絶縁膜４４から出力端子部８１まで貫通する穴部に導電材料を充填した後、充填された導電材料の表面をＣＭＰ法等の研磨法で研磨する、所謂デュアルダマシン法を用いて中継層９２及びコンタクト部９１を同時に形成することも可能である。この場合、後述する平坦化前の導電性反射材料７３ａを形成する際に、出力端子部８１及び中継層９２が電気的に接続される。
【００７２】
次に、図９（ｄ）に示すように、第２下地膜４４ｂをパターニングすることによって、第１穴部９２ａ、第１穴部９２ａの輪郭を規定する隔壁４６、及び隔壁４６によって前記第１穴部９２ａと隔てられた凹部９３ａを形成する。この際、隔壁４６の幅Ｄは、半導体装置の製造プロセスで実現可能な程度まで小さい幅に設定可能である。より具体的には、例えば、隔壁４６の幅Ｄを０．２５μｍまで狭めることが可能である。
【００７３】
次に、図９（ｅ）に示すように、記第１穴部９２ａ及び凹部９３ａの夫々に、ＣＶＤ法を用いて導電性及び光反射性を有するアルミニウム等の金属材料を成膜することによって、平坦化前の導電性反射材料７３ａを形成する。
【００７４】
次に、図９（ｆ）に示すように、平坦化前の導電性反射材料７３ａ上から平坦化前の導電性反射材料７３ａの表面をＣＭＰ法によって研磨することによって、第１穴部９２ａに中継層９２を形成すると共に、凹部９３ａに導電性反射膜７３を形成する。導電性反射膜７３と中継層９２と隔壁４６は保持容量７０を構成する絶縁膜４５の下地層となっており、このように、平坦化前の導電性反射材料７３ａの表面を研磨することによって同時に複数の配線等の導電部を形成する平坦化方法、即ち、絶縁膜４５の下地層を平坦に形成可能なダマシン技術を用いることによって、隔壁４６によって相互に隔てられた導電性反射膜７３と中継層９２との間の間隔を容易に狭く形成することが可能であると共に、当該導電性反射膜７３と中継層９２との間の電気的な絶縁性を維持することができる。
【００７５】
その後、図１０（ｇ）に示すように、絶縁膜４５、コンタクト部９３、画素電極９ａ及び配向膜１６を形成し、ＴＦＴアレイ基板１０と対向基板２０との間に液晶層５０を封止することによって液晶装置１を製造する。
【００７６】
このように、本実施形態に係る液晶装置の製造方法によれば、導電性反射膜７３と中継層９２との間を電気的に絶縁する絶縁部となる隔壁４６の幅Ｄを狭めることができるため、導電性反射膜７３の面積を増大させることができる。さらに、画素電極９ａと平面的に重なる領域だけでなく隣接する画素電極９ａ間の領域にも導電性反射材料７３ａを設けられるため、隣接する画素電極９ａ間の領域も表示に利用することができる。よって、画素領域における開口率を増大させることが可能である。したがって、本実施形態に係る液晶装置の製造方法によれば、画素領域における開口率が高められた液晶装置を、液晶装置の製造プロセスが煩雑化することを極力抑えながら容易に製造できる。加えて、本実施形態に係る液晶装置の製造方法によれば、隣り合う画素電極９ａ相互の間隔を極めて小さくしなくても画素領域における開口率を高めることが可能であるので、隣り合う画素電極９ａ相互の間隔を近づけた場合に問題となっていた、横電界に起因するディスクリネーション等の表示不良を回避しつつ、各画素領域における開口率が高められ、且つ高品位の画像表示が可能な液晶装置１を製造できる。
【００７７】
＜３：電子機器＞
次に、図１１を参照しながら、上述の液晶装置１をライトバルブとして用いた反射型プロジェクタを説明する。図１１は、本実施形態に係る電子機器の一例である反射型プロジェクタの構成を示した図である。
【００７８】
図１１において、プロジェクタ４００では、光源ランプ２００から出射された光（概ね白色光）は、クロスダイクロイックミラーからなる色分解ミラー２０１により青色光Ｂと赤色光Ｒ・緑色光Ｇに分光される。また、各光はミラー２０２を介して偏光ビームスプリッタ（ＰＢＳ）２０３に入射され、ＰＢＳ２０３によりＳ偏光光が色光変調用の反射型液晶ライトバルブ１００Ｂ，１００Ｒ，１００Ｇに入射される。入射された色光は、各ライトバルブによって変調された後、各ライトバルブから出射される。ＰＢＳ２０３では反射型液晶ライトバルブ１００Ｂ，１００Ｒ，１００Ｇから戻ってきたＳ偏光成分が反射しＰ偏光成分を透過する。従って、各ＰＢＳ２０３からは、液晶ライトバルブ１００Ｂ，１００Ｒ，１００Ｇから出射された光の偏光軸の回転程度に応じた光量の色光が透過してくる。この光量が、各色光に割り当てられた階調レベルに応じた光量（透過率）に相当する。各ＰＢＳ２０３を透過した色光は、色合成プリズム２０４内にＸ字状に形成された青色光反射・赤色光反射の波長選択反射層により、青色光Ｂと赤色光Ｒが反射され、緑色光Ｇが透過されて、カラー光が合成されて射出される。このカラー光を投射レンズ２０５によりスクリーン２０６に画像が投射される。本実施形態に係るプロジェクタ４００によれば、上述の液晶装置１を具備してなるので、その表示性能を向上させることが可能である。
【図面の簡単な説明】
【００７９】
【図１】本実施形態に係る液晶装置をその上に形成された各構成要素と共に対向基板の側から見た平面図である。
【図２】図１のＩＩ−ＩＩ´断面図である。
【図３】本実施形態に係る液晶装置の画像表示領域における回路構成を示した回路図である。
【図４】本実施形態に係る液晶装置の一部を拡大して示した平面図である。
【図５】図４のＶ−Ｖ´断面図である。
【図６】本実施形態に係る液晶装置の比較例である液晶装置の画素領域の具体的な構成を示した部分断面図である。
【図７】本実施形態に係る液晶装置及び比較例に係る液晶装置の夫々における開口率を具体的に比較したグラフである。
【図８】本実施形態に係る液晶装置の製造方法の主要な工程を順に示した工程断面図（その１）である。
【図９】本実施形態に係る液晶装置の製造方法の主要な工程を順に示した工程断面図（その２）である。
【図１０】本実施形態に係る液晶装置の製造方法の主要な工程を順に示した工程断面図（その３）である。
【図１１】本実施形態に係る電子機器の構成を図示的に示した図である。
【符号の説明】
【００８０】
１・・・液晶装置、１０・・・ＴＦＴアレイ基板、２０・・・対向基板、９ａ，３０９ａ・・・画素電極、４６・・・隔壁、５０・・・液晶層、５０ａ・・・液晶素子、７３・・・導電性反射膜、９２・・・中継層、４００・・・プロジェクタ
【図１】
2010054655.tif 000003
【図２】
2010054655.tif 000004
【図３】
2010054655.tif 000005
【図４】
2010054655.tif 000006
【図５】
2010054655.tif 000007
【図６】
2010054655.tif 000008
【図７】
2010054655.tif 000009
【図８】
2010054655.tif 000010
【図９】
2010054655.tif 000011
【図１０】
2010054655.tif 000012
【図１１】
2010054655.tif 000013